(57)【要約】      （修正有）【課題】異なる色の輝きとシークレットタイプ文字及び図形を発する天然蛍光ダイヤモンドの装飾品を提供する。【解決手段】天然蛍光ダイヤモンドの装飾品は、装飾品台２と、装飾品台上に嵌合し定位させる複数の天然蛍光ダイヤモンド３と、装飾品台上に嵌合し定位させる複数の天然非蛍光ダイヤモンド４とを備える。その内、それぞれの天然蛍光ダイヤモンドと天然非蛍光ダイヤモンドは多面体形状をなし、しかも屈折作用を備える光透過体である。上述の構成により、装飾品が紫外線の照射を受けると、装飾品台に嵌合定位された天然蛍光ダイヤモンドは、青紫色の光を放ち、その上に嵌合定位された複数の天然非蛍光ダイヤモンド間に発せられる光とは、明らかな差が生じる。【選択図】図３
0003172937.tif 000002
【実用新案登録請求の範囲】
【請求項１】
一つの装飾品台と、
装飾品台上に嵌合し定位させる複数の天然蛍光ダイヤモンドと、
装飾品台上に嵌合し定位させる複数の天然非蛍光ダイヤモンドと、
を備え、
それぞれの天然蛍光ダイヤモンドと天然非蛍光ダイヤモンドは全て多面体形状をなし、しかも屈折作用を備える光透過体であることを特徴とする異なる色の輝きとシークレットタイプ文字及び図形を発する天然蛍光ダイヤモンドの装飾品。
【請求項２】
前記複数の天然蛍光ダイヤモンドは、図案、文字、或いは数字等のデザインを配列させ、装飾品台上に嵌合定位されることを特徴とする請求項１に記載の異なる色の輝きとシークレットタイプ文字及び図形を発する天然蛍光ダイヤモンドの装飾品。
【考案の詳細な説明】
【技術分野】
【０００１】
本実用新案は、天然蛍光ダイヤモンドの装飾品構造に関し、特に、複数の天然蛍光ダイヤモンドと複数の天然非蛍光ダイヤモンドと装飾品台によって構成される装飾品である。それは、指輪、ブレスレット、ネックレス、ブローチ、耳飾り、アンクレット等の装飾品に応用可能であり、装飾品が紫外線の照射を受けると、天然蛍光ダイヤモンドが青紫色の光を放ち、その上に嵌合定位した複数の天然非蛍光ダイヤモンドの発する光とは、明らかな差が生じるため、これによって、装飾品の多様性が生まれ、顧客の選択幅を広げることができる。
【背景技術】
【０００２】
俗に言う「馬子にも衣装」や「木株にも物着せよ」という言葉のとおり、外見を飾ることによってその人の高貴さが顕現する。よって、人がきれいな服を着たりして外見を飾る際に、手、首、耳、上着の胸元のポケット箇所、衣服の袖口、足の付け根箇所に、例えば、指輪、ブレスレット、ネックレス、耳飾り、ブローチ、カフスボタン、アンクレット等の装飾品を組み合わせると、前記の装飾品は、往々にして、水際立った奇妙な特殊効果を発揮する。
【０００３】
前記装飾品は、一般には主に、純金、金合金、銀、チタン合金等の貴重金属またはダイヤモンドの材質により作られる。その内、ダイヤモンドについて言えば、特に天然ダイヤモンドは、何億万年の時をかけて形成されるため、その価格は並のものではなく、前記装飾品の中でも、ダイヤモンドによって作られる装飾品は、高貴さと品格を表現する印象を人に与えている。
【０００４】
以上の通り、一般にダイヤモンドで作成した装飾品を身に付けたり購入しようとする者は、社会において、相当な経済的基礎を備えた人達であるため、購買時には、金銭面は考慮される主な要素とはならず、ダイヤモンド自体の質感（即ちその純度）や、質感の優れたダイヤモンドによって作られる装飾品全体及び造形デザイン等だけが重要な要素とされる。特に、いかに、組み合わせる構造によって、一つ一つがもともと独立し、質感に優れたダイヤモンドを共に組み合わせて一つの装飾品を作り出すか、さらには、装飾品全体に、他とは異なる、新しく一際目立ち、奇抜で特殊性のあるデザインが施されているかが、購入者にとっての最初の選択及び追及点となる。それは、更なる経済的利益の獲得を期待するダイヤモンド装飾品の製造業者にとっても同様で、設計に対する思考と研究開発が急がれている。
【考案の概要】
【考案が解決しようとする課題】
【０００５】
現有する技術不足に対し、本考案の目的は、異なる色の輝きとシークレットタイプ文字及び図形を発する天然蛍光ダイヤモンドの装飾品を提供することにある。これによって、他とは異なる、新しく一際目立ち、奇抜な特殊性を備えた設計を提案する。
【課題を解決するための手段】
【０００６】
上述の目的を実現するために本考案の採用する技術手段は、次に示すとおりである。
【０００７】
異なる色の輝きとシークレットタイプ文字及び図形を発する天然蛍光ダイヤモンドの装飾品は、一つの装飾品台と、装飾品台上に嵌合し定位させる複数の天然蛍光ダイヤモンドと、装飾品台上に嵌合し定位させる複数の天然非蛍光ダイヤモンドとを備える。それぞれの天然蛍光ダイヤモンドと天然非蛍光ダイヤモンドは多面体形状をなし、しかも屈折作用を備える光透過体である。
【０００８】
その内、複数の天然蛍光ダイヤモンドは、図案、文字、或いは数字等のデザインを配列させ、装飾品台上に嵌合定位される。
【考案の効果】
【０００９】
現有する技術と比較し、本考案の備える好ましい効果は、上述の構成により、もともと一つ一つ、個別に独立したダイヤモンドを組み合わせて、一つの装飾品を形成し、紫外線の照射を受けた時に、上部に嵌合定位している複数の天然蛍光ダイヤモンドは青紫色の光を放ち、上部に嵌合定位している天然非蛍光ダイヤモンドとの間に、明らかな差を生じさせるため、本考案は、異なるダイヤモンドの配列と装飾品台の結合によって、異なる変化を形成し、装飾品の多様性を生み、顧客の選択幅を広げる効果を備えるものとなる。
【図面の簡単な説明】
【００１０】
【図１】本考案の構造に関する指輪を例とした分解斜視図である。
【図２】本考案の構造に関する指輪を例とした立体外観図である。
【図３】本考案の構造に関する実施例図である。
【図４】本考案の構造に関するネックレスのペンダントヘッドを例としたもう一つの実施例図である。
【考案を実施するための形態】
【００１１】
次に、出願の参考にして戴くために、本考案の構造の特徴及び操作等について、図面を組み合わせた説明を行なう。
【実施例】
【００１２】
図１乃至図４に示すとおり、本考案の異なる色の輝きとシークレットタイプ文字及び図形を発する天然蛍光ダイヤモンドの装飾品は、指輪、ネックレス、耳飾り、ブローチ、カフスボタン、アンクレット等の装飾品に応用し、それは主に、装飾品台２と、同様のまたは異なるカラット数を有する複数の天然蛍光ダイヤモンド３と、同様のまたは異なるカラット数を有する複数の天然非蛍光ダイヤモンド４とを備える。その内、装飾品台２は、複数の天然蛍光ダイヤモンド３と天然非蛍光ダイヤモンド４をその上に嵌合し定位させるもので、それぞれの天然蛍光ダイヤモンド３と天然非蛍光ダイヤモンド４は多面体形状をなし、しかも屈折作用を備える光透過体である。天然蛍光ダイヤモンド３は、装飾品製造業者が自分の要望、または購入者の要望に合わせて、事前に、購入者の希望に基づく図案（図４に示したハート型やその他、例えば十字架等の形状）、文字（図１乃至図３に示した英文字“ＬＯＶＥ”）、或いは数字（例えばアラビア数字１６８（中国語では“常に財を得る”という意味を持つ数字））等のデザインを設計し配列することが可能である。
【００１３】
上述の構造を構成し、図２及び図３に示す通り、もともと一つ一つ、個別に独立したダイヤモンドを組み合わせて、一つの装飾品を形成する。複数の天然蛍光ダイヤモンド３と複数の天然非蛍光ダイヤモンド４は、装飾品製造業者が自分の要望または購入者の要望に応じて、事前に、購入者の指定に基づいて、希望するデザイン（例えば英語の“ＬＯＶＥ”）に設計し配列した後の前記装飾品は、通常、紫外線の照射を受ける以前は、装飾品台２上に嵌合定位した複数の天然蛍光ダイヤモンド３とその他の複数の天然非蛍光ダイヤモンド４の全体に、視覚上、差異は見られない（図２参照）が、紫外線が装飾品台２上に嵌合定位している複数の天然蛍光ダイヤモンド３と複数の天然非蛍光ダイヤモンド４を照射すると、予定のデザインに基づいて配列形成した複数の天然蛍光ダイヤモンド３は、青紫色の光を放ち、予定して配列し形成したデザインが出現する。また、同様に装飾品台２上に嵌合定位したその他の複数の天然非蛍光ダイヤモンド４の発する光間には、明らかな差が生じるため、本考案は、異なるダイヤモンドの配列と装飾品台の結合によって、異なる変化を形成し、装飾品の多様性を生み、顧客の選択幅を広げるものとなる。
【００１４】
前述した本考案は、現有する同類商品の欠点を解決し、顕著な効果と長所がみられ、市場の刊行物においては未公開のものである。
【００１５】
前述の説明は、本考案に対する単なる説明的なものであり、制限を与えるものではない。本領域の一般の技術者が、本考案の理解後に、実用新案登録請求に限定した精神と範囲を逸脱せずに、修正、変化を行ったり、同等効果を生み出すことは可能であるが、これは全て、実用新案登録請求の保護範囲内に含まれることをここに記す。
【符号の説明】
【００１６】
２  装飾品台
３  天然蛍光ダイヤモンド
４  天然非蛍光ダイヤモンド
【図１】
0003172937.tif 000003
【図２】
0003172937.tif 000004
【図３】
0003172937.tif 000005
【図４】
0003172937.tif 000006
【手続補正書】
【提出日】平成23年7月12日(2011.7.12)
【手続補正１】
【補正対象書類名】明細書
【補正対象項目名】全文
【補正方法】変更
【補正の内容】
【考案の詳細な説明】
【技術分野】
【０００１】
本実用新案は、天然蛍光ダイヤモンドの装飾品構造に関し、特に、複数の天然蛍光ダイヤモンドと複数の天然非蛍光ダイヤモンドと装飾品台によって構成される装飾品である。それは、指輪、ブレスレット、ネックレス、ブローチ、耳飾り、アンクレット等の装飾品に応用可能であり、装飾品が紫外線の照射を受けると、天然蛍光ダイヤモンドが青紫色の光を放ち、その上に嵌合定位した複数の天然非蛍光ダイヤモンドの発する光とは、明らかな差が生じるため、これによって、装飾品の多様性が生まれ、顧客の選択幅を広げることができる。
【背景技術】
【０００２】
俗に言う「馬子にも衣装」や「木株にも物着せよ」という言葉のとおり、外見を飾ることによってその人の高貴さが顕現する。よって、人がきれいな服を着たりして外見を飾る際に、手、首、耳、上着の胸元のポケット箇所、衣服の袖口、足の付け根箇所に、例えば、指輪、ブレスレット、ネックレス、耳飾り、ブローチ、カフスボタン、アンクレット等の装飾品を組み合わせると、前記の装飾品は、往々にして、水際立った奇妙な特殊効果を発揮する。
【０００３】
前記装飾品は、一般には主に、純金、金合金、銀、チタン合金等の貴重金属またはダイヤモンドの材質により作られる。その内、ダイヤモンドについて言えば、特に天然ダイヤモンドは、何億万年の時をかけて形成されるため、その価格は並のものではなく、前記装飾品の中でも、ダイヤモンドによって作られる装飾品は、高貴さと品格を表現する印象を人に与えている。
【０００４】
以上の通り、一般にダイヤモンドで作成した装飾品を身に付けたり購入しようとする者は、社会において、相当な経済的基礎を備えた人達であるため、購買時には、金銭面は考慮される主な要素とはならず、ダイヤモンド自体の質感（即ちその純度）や、質感の優れたダイヤモンドによって作られる装飾品全体及び造形デザイン等だけが重要な要素とされる。特に、いかに、組み合わせる構造によって、一つ一つがもともと独立し、質感に優れたダイヤモンドを共に組み合わせて一つの装飾品を作り出すか、さらには、装飾品全体に、他とは異なる、新しく一際目立ち、奇抜で特殊性のあるデザインが施されているかが、購入者にとっての最初の選択及び追及点となる。それは、更なる経済的利益の獲得を期待するダイヤモンド装飾品の製造業者にとっても同様で、設計に対する思考と研究開発が急がれている。
【考案の概要】
【考案が解決しようとする課題】
【０００５】
現有する技術不足に対し、本考案の目的は、天然非蛍光ダイヤモンドと異なる色の輝きで、シークレットタイプ文字及び図形を出現させる天然蛍光ダイヤモンドの装飾品を提供することにある。これによって、他とは異なる、新しく一際目立ち、奇抜な特殊性を備えた設計を提案する。
【課題を解決するための手段】
【０００６】
上述の目的を実現するために本考案の採用する技術手段は、次に示すとおりである。
【０００７】
天然非蛍光ダイヤモンドと異なる色の輝きで、シークレットタイプ文字及び図形を出現させる天然蛍光ダイヤモンドの装飾品は、一つの装飾品台と、装飾品台上に嵌合し定位させる複数の天然蛍光ダイヤモンドと、装飾品台上に嵌合し定位させる複数の天然非蛍光ダイヤモンドとを備える。それぞれの天然蛍光ダイヤモンドと天然非蛍光ダイヤモンドは多面体形状をなし、しかも屈折作用を備える光透過体である。
【０００８】
その内、複数の天然蛍光ダイヤモンドは、図案、文字、或いは数字等のデザインを配列させ、装飾品台上に嵌合定位される。
【考案の効果】
【０００９】
現有する技術と比較し、本考案の備える好ましい効果は、上述の構成により、もともと一つ一つ、個別に独立したダイヤモンドを組み合わせて、一つの装飾品を形成し、紫外線の照射を受けた時に、上部に嵌合定位している複数の天然蛍光ダイヤモンドは青紫色の光を放ち、上部に嵌合定位している天然非蛍光ダイヤモンドとの間に、明らかな差を生じさせるため、本考案は、異なるダイヤモンドの配列と装飾品台の結合によって、異なる変化を形成し、装飾品の多様性を生み、顧客の選択幅を広げる効果を備えるものとなる。
【図面の簡単な説明】
【００１０】
【図１】本考案の構造に関する指輪を例とした分解斜視図である。
【図２】本考案の構造に関する指輪を例とした立体外観図である。
【図３】本考案の構造に関する実施例図である。
【図４】本考案の構造に関するネックレスのペンダントヘッドを例としたもう一つの実施例図である。
【考案を実施するための形態】
【００１１】
次に、出願の参考にして戴くために、本考案の構造の特徴及び操作等について、図面を組み合わせた説明を行なう。
【実施例】
【００１２】
図１乃至図４に示すとおり、本考案の天然非蛍光ダイヤモンドと異なる色の輝きで、シークレットタイプ文字及び図形を出現させる天然蛍光ダイヤモンドの装飾品は、指輪、ネックレス、耳飾り、ブローチ、カフスボタン、アンクレット等の装飾品に応用し、それは主に、装飾品台２と、同様のまたは異なるカラット数を有する複数の天然蛍光ダイヤモンド３と、同様のまたは異なるカラット数を有する複数の天然非蛍光ダイヤモンド４とを備える。その内、装飾品台２は、複数の天然蛍光ダイヤモンド３と天然非蛍光ダイヤモンド４をその上に嵌合し定位させるもので、それぞれの天然蛍光ダイヤモンド３と天然非蛍光ダイヤモンド４は多面体形状をなし、しかも屈折作用を備える光透過体である。天然蛍光ダイヤモンド３は、装飾品製造業者が自分の要望、または購入者の要望に合わせて、事前に、購入者の希望に基づく図案（図４に示したハート型やその他、例えば十字架等の形状）、文字（図１乃至図３に示した英文字“ＬＯＶＥ”）、或いは数字（例えばアラビア数字１６８（中国語では“常に財を得る”という意味を持つ数字））等のデザインを設計し配列することが可能である。
【００１３】
上述の構造を構成し、図２及び図３に示す通り、もともと一つ一つ、個別に独立したダイヤモンドを組み合わせて、一つの装飾品を形成する。複数の天然蛍光ダイヤモンド３と複数の天然非蛍光ダイヤモンド４は、装飾品製造業者が自分の要望または購入者の要望に応じて、事前に、購入者の指定に基づいて、希望するデザイン（例えば英語の“ＬＯＶＥ”）に設計し配列した後の前記装飾品は、通常、紫外線の照射を受ける以前は、装飾品台２上に嵌合定位した複数の天然蛍光ダイヤモンド３とその他の複数の天然非蛍光ダイヤモンド４の全体に、視覚上、差異は見られない（図２参照）が、紫外線が装飾品台２上に嵌合定位している複数の天然蛍光ダイヤモンド３と複数の天然非蛍光ダイヤモンド４を照射すると、予定のデザインに基づいて配列形成した複数の天然蛍光ダイヤモンド３は、青紫色の光を放ち、予定して配列し形成したデザインが出現する。また、同様に装飾品台２上に嵌合定位したその他の複数の天然非蛍光ダイヤモンド４の発する光間には、明らかな差が生じるため、本考案は、異なるダイヤモンドの配列と装飾品台の結合によって、異なる変化を形成し、装飾品の多様性を生み、顧客の選択幅を広げるものとなる。
【００１４】
前述した本考案は、現有する同類商品の欠点を解決し、顕著な効果と長所がみられ、市場の刊行物においては未公開のものである。
【００１５】
前述の説明は、本考案に対する単なる説明的なものであり、制限を与えるものではない。本領域の一般の技術者が、本考案の理解後に、実用新案登録請求に限定した精神と範囲を逸脱せずに、修正、変化を行ったり、同等効果を生み出すことは可能であるが、これは全て、実用新案登録請求の保護範囲内に含まれることをここに記す。
【符号の説明】
【００１６】
２  装飾品台
３  天然蛍光ダイヤモンド
４  天然非蛍光ダイヤモンド
【手続補正２】
【補正対象書類名】実用新案登録請求の範囲
【補正対象項目名】全文
【補正方法】変更
【補正の内容】
【実用新案登録請求の範囲】
【請求項１】
一つの装飾品台と、
装飾品台上に嵌合し定位させる複数の天然蛍光ダイヤモンドと、
装飾品台上に嵌合し定位させる複数の天然非蛍光ダイヤモンドと、
を備え、
それぞれの天然蛍光ダイヤモンドと天然非蛍光ダイヤモンドは全て多面体形状をなし、しかも屈折作用を備える光透過体であり、紫外線の照射を受けると天然蛍光ダイヤモンドは青紫色の光を放つことを特徴とする天然非蛍光ダイヤモンドと異なる色の輝きで、シークレットタイプ文字及び図形を出現させる天然蛍光ダイヤモンドの装飾品。
【請求項２】
前記複数の天然蛍光ダイヤモンドは、図案、文字、或いは数字等のデザインを配列させ、装飾品台上に嵌合定位されることを特徴とする請求項１に記載の天然非蛍光ダイヤモンドと異なる色の輝きで、シークレットタイプ文字及び図形を出現させる天然蛍光ダイヤモンドの装飾品。
【手続補正書】
【提出日】平成23年9月20日(2011.9.20)
【手続補正１】
【補正対象書類名】明細書
【補正対象項目名】全文
【補正方法】変更
【補正の内容】
【考案の詳細な説明】
【技術分野】
【０００１】
本実用新案は、天然蛍光ダイヤモンドの装飾品構造に関し、特に、複数の天然蛍光ダイヤモンドと複数の天然非蛍光ダイヤモンドと装飾品台によって構成される装飾品である。それは、指輪、ブレスレット、ネックレス、ブローチ、耳飾り、アンクレット等の装飾品に応用可能であり、装飾品が紫外線ライト(ブラックライト) の照射を受けると、天然蛍光ダイヤモンドは青紫色の光を放ち、その上に嵌合定位した複数の天然非蛍光ダイヤモンドの発する光とは、明らかな差が生じるため、これによって、装飾品の多様性が生まれ、顧客の選択幅を広げることができる。
【背景技術】
【０００２】
俗に言う「馬子にも衣装」や「木株にも物着せよ」という言葉のとおり、外見を飾ることによってその人の高貴さが顕現する。よって、人がきれいな服を着たりして外見を飾る際に、手、首、耳、上着の胸元のポケット箇所、衣服の袖口、足の付け根箇所に、例えば、指輪、ブレスレット、ネックレス、耳飾り、ブローチ、カフスボタン、アンクレット等の装飾品を組み合わせると、前記の装飾品は、往々にして、水際立った奇妙な特殊効果を発揮する。
【０００３】
前記装飾品は、一般には主に、純金、金合金、銀、チタン合金等の貴金属またはダイヤモンドの材質により作られる。その内、ダイヤモンドについて言えば、特に天然ダイヤモンドは、何億万年の時をかけて形成されるため、その価格は並のものではなく、前記装飾品の中でも、ダイヤモンドによって作られる装飾品は、高貴さと品格を表現する印象を人に与えている。
【０００４】
以上の通り、一般にダイヤモンドで作成した装飾品を身に付けたり購入しようとする者は、社会において、相当な経済的基礎を備えた人達であるため、購買時には、金銭面は考慮される主な要素とはならず、ダイヤモンド自体の質感（即ちその純度）や、質感の優れたダイヤモンドによって作られる装飾品全体及び造形デザイン等だけが重要な要素とされる。特に、いかに、組み合わせる構造によって、一つ一つがもともと独立し、質感に優れたダイヤモンドを共に組み合わせて一つの装飾品を作り出すか、さらには、装飾品全体に、他とは異なる、新しく一際目立ち、奇抜で特殊性のあるデザインが施されているかが、購入者にとっての最初の選択及び追及点となる。それは、更なる経済的利益の獲得を期待するダイヤモンド装飾品の製造業者にとっても同様で、設計に対する思考と研究開発が急がれている。
【考案の概要】
【考案が解決しようとする課題】
【０００５】
現有する技術不足に対し、本考案の目的は、自然光の下ではダイヤモンドの透明な輝きを放ち紫外線ライトの下では青紫色に輝く天然蛍光ダイヤモンドの特殊効果と自然光の下ではダイヤモンドの透明な輝きを放ち紫外線ライトの下では透明な輝きを放つ天然非蛍光ダイヤモンドの特殊効果との異なる色の輝きで、シークレット文字及び図形を出現させる天然蛍光ダイヤモンドの装飾品を提供することにある。これによって、他とは異なる、新しく一際目立ち、奇抜な特殊性を備えた設計を提案する。
【課題を解決するための手段】
【０００６】
上述の目的を実現するために本考案の採用する技術手段は、次に示すとおりである。
【０００７】
自然光の下ではダイヤモンドの透明な輝きを放ち紫外線ライトの下では青紫色に輝く天然蛍光ダイヤモンドの特殊効果と自然光の下ではダイヤモンドの透明な輝きを放ち紫外線ライトの下では透明な輝きを放つ天然非蛍光ダイヤモンドの特殊効果との異なる色の輝きで、シークレット文字及び図形を出現させる天然蛍光ダイヤモンドの装飾品は、一つの装飾品台と、装飾品台上に嵌合し定位させる複数の天然蛍光ダイヤモンドと、装飾品台上に嵌合し定位させる複数の天然非蛍光ダイヤモンドとを備える。それぞれの天然蛍光ダイヤモンドと天然非蛍光ダイヤモンドは多面体形状をなし、しかも屈折作用を備える光透過体である。
【０００８】
その内、複数の天然蛍光ダイヤモンドは、図案、文字、或いは数字等のデザインを配列させ、装飾品台上に嵌合定位される。
【考案の効果】
【０００９】
現有する技術と比較し、本考案の備える好ましい効果は、上述の構成により、もともと一つ一つ、個別に独立したダイヤモンドを組み合わせて、一つの装飾品を形成し、紫外線の照射を受けた時に、上部に嵌合定位している複数の天然蛍光ダイヤモンドは青紫色の光を放ち、上部に嵌合定位している天然非蛍光ダイヤモンドとの間に、明らかな差を生じさせるため、本考案は、異なるダイヤモンドの配列と装飾品台の結合によって、異なる変化を形成し、装飾品の多様性を生み、顧客の選択幅を広げる効果を備えるものとなる。
【図面の簡単な説明】
【００１０】
【図１】本考案の構造に関する指輪を例とした分解斜視図で、“ＬＯＶＥ”というアルファベットを天然蛍光ダイヤモンドで配置、文字以外の部分を天然非蛍光ダイヤモンドで配置した例である。
【図２】本考案の構造に関する指輪を例とした自然光を照射した時の立体外観図である。
【図３】本考案の構造に関する実施例で、紫外線ライトを照射した時の図である。
【図４】本考案の構造に関するネックレスのペンダントヘッドを例としたもう一つの実施例図である。
【考案を実施するための形態】
【００１１】
次に、出願の参考にして戴くために、本考案の構造の特徴及び操作等について、図面を組み合わせた説明を行なう。
【実施例】
【００１２】
図１から図４に示すとおり、本考案の自然光の下ではダイヤモンド特有の輝きを放ち紫外線ライトの下では青紫色に輝く天然蛍光ダイヤモンドの特殊効果と自然光の下ではダイヤモンド特有の輝きを放ち紫外線ライトの下では透明な輝きを放つ天然非蛍光ダイヤモンドの特殊効果との異なる色の輝きで、シークレット文字及び図形を出現させる天然蛍光ダイヤモンドの装飾品は、指輪、ネックレス、耳飾り、ブローチ、カフスボタン、アンクレット等の装飾品に応用し、それは主に、装飾品台２と、同様のまたは異なるカラット数を有する複数の天然蛍光ダイヤモンド３と、同様のまたは異なるカラット数を有する複数の天然非蛍光ダイヤモンド４とを備える。その内、装飾品台２は、複数の天然蛍光ダイヤモンド３と天然非蛍光ダイヤモンド４をその上に嵌合し定位させるもので、それぞれの天然蛍光ダイヤモンド３と天然非蛍光ダイヤモンド４は多面体形状をなし、しかも屈折作用を備える光透過体である。天然蛍光ダイヤモンド３は、装飾品製造業者が自分の要望、または購入者の要望に合わせて、事前に、購入者の希望に基づく図案（図４に示したハート型やその他、例えば十字架等の形状）、文字（図１から図３に示した英文字“ＬＯＶＥ”）、或いは数字（例えばアラビア数字１６８（中国語では“常に財を得る”という意味を持つ数字））等のデザインを設計し配列することが可能である。
【００１３】
上述の構造を構成し、図２及び図３に示す通り、もともと一つ一つ、個別に独立したダイヤモンドを組み合わせて、一つの装飾品を形成する。複数の天然蛍光ダイヤモンド３と複数の天然非蛍光ダイヤモンド４は、装飾品製造業者が自分の要望または購入者の要望に応じて、事前に、購入者の指定に基づいて、希望するデザイン（例えば英語の“ＬＯＶＥ”）に設計し配列した後の前記装飾品は、通常、紫外線ライトの照射を受ける以前は、装飾品台２上に嵌合定位した複数の天然蛍光ダイヤモンド３とその他の複数の天然非蛍光ダイヤモンド４の全体に、視覚上、差異は見られない（図２参照）が、紫外線が装飾品台２上に嵌合定位している複数の天然蛍光ダイヤモンド３と複数の天然非蛍光ダイヤモンド４を照射すると、予定のデザインに基づいてあらかじめ配列形成した複数の天然蛍光ダイヤモンド３は、青紫色の光を放ち、予定してあらかじめ配列し形成したデザインが出現する（図３参照）。また、同様に装飾品台２上に嵌合定位したその他の複数の天然非蛍光ダイヤモンド４の発する光とは、明らかな差が生じるため、本考案は、異なるダイヤモンドの配列と装飾品台の結合によって、異なる変化を形成し、装飾品の多様性を生み、顧客の選択幅を広げるものとなる。
【００１４】
前述した本考案は、現有する同類商品の欠点を解決し、顕著な効果と長所がみられ、市場の刊行物においては未公開のものである。
【００１５】
前述の説明は、本考案に対する単なる説明的なものであり、制限を与えるものではない。本領域の一般の技術者が、本考案の理解後に、実用新案登録請求に限定した精神と範囲を逸脱せずに、修正、変化を行ったり、同等効果を生み出すことは可能であるが、これは全て、実用新案登録請求の保護範囲内に含まれることをここに記す。
【符号の説明】
【００１６】
２  装飾品台
３  天然蛍光ダイヤモンド
４  天然非蛍光ダイヤモンド
【手続補正２】
【補正対象書類名】実用新案登録請求の範囲
【補正対象項目名】全文
【補正方法】変更
【補正の内容】
【実用新案登録請求の範囲】
【請求項１】
一つの装飾品台と、
装飾品台上に嵌合し定位させ、自然光の下ではダイヤモンドの透明な輝きを放ち、紫外線ライトの下では青紫色に輝く複数の天然蛍光ダイヤモンドと、
装飾品台上に嵌合し定位させ、自然光の下ではダイヤモンドの透明な輝きを放ち、紫外線ライトの下では透明な輝きを放つ複数の天然非蛍光ダイヤモンドとを備え、
それぞれの天然蛍光ダイヤモンドと天然非蛍光ダイヤモンドは全て多面体形状をなし、しかも屈折作用を備える光透過体であり、紫外線の照射を受けると装飾品台上に嵌合し定位させた天然蛍光ダイヤモンドは青紫色の光を放ち、天然非蛍光ダイヤモンドと異なる色の輝きで、シークレットタイプ文字或いは図形を出現させることを特徴とする自然光の下ではダイヤモンドの透明な輝きを放ち紫外線ライトの下では青紫色に輝く天然蛍光ダイヤモンドの特殊効果と自然光の下ではダイヤモンドの透明な輝きを放ち紫外線ライトの下では透明な輝きを放つ天然非蛍光ダイヤモンドの特殊効果とを組み合わせた装飾品。
【請求項２】
前記複数の天然蛍光ダイヤモンドは、図案、文字、或いは数字等のデザインになるようにあらかじめ配列させ、装飾品台上に嵌合定位されることを特徴とする請求項１に記載の自然光の下ではダイヤモンドの透明な輝きを放ち紫外線ライトの下では青紫色に輝く天然蛍光ダイヤモンドの特殊効果と自然光の下ではダイヤモンドの透明な輝きを放ち紫外線ライトの下では透明な輝きを放つ天然非蛍光ダイヤモンドの特殊効果とを組み合わせた装飾品。
【手続補正書】
【提出日】平成23年11月7日(2011.11.7)
【手続補正１】
【補正対象書類名】実用新案登録請求の範囲
【補正対象項目名】全文
【補正方法】変更
【補正の内容】
【実用新案登録請求の範囲】
【請求項１】
一つの装飾品台と、
複数の天然蛍光ダイヤモンドと、
複数の天然非蛍光ダイヤモンドとを備え、
それぞれの天然蛍光ダイヤモンドと天然非蛍光ダイヤモンドは全て多面体形状をなし、しかも屈折作用を備える光透過体であり、前記複数の天然蛍光ダイヤモンドは、図案、文字、或いは数字等のデザインになるようにあらかじめ配列させ、装飾品台上に嵌合定位され、紫外線の照射を受けると、前記天然蛍光ダイヤモンドは青紫色の光を放ち、前記天然非蛍光ダイヤモンドと異なる色の輝きで、シークレットタイプ文字或いは図形を出現させることを特徴とする自然光の下ではダイヤモンドの透明な輝きを放ち紫外線ライトの下では青紫色に輝く天然蛍光ダイヤモンドの特殊効果と自然光の下ではダイヤモンドの透明な輝きを放ち紫外線ライトの下では透明な輝きを放つ天然非蛍光ダイヤモンドの特殊効果とを組み合わせた装飾品。